(57)【要約】【課題】放送信号に含まれている情報が表す映像、音声、及び文字のうちの少なくとも一つを通信端末を用いて視聴しているユーザの利便性を向上することにある。【解決手段】携帯端末１００は、映像、音声、及び文字のうちの少なくとも一つを表す情報を含んだ放送信号を受信し、その放送信号に含まれている情報が表す映像、音声、及び文字のうちの少なくとも一つを出力している場合に、その放送信号とは別の信号の着信があったとき、必ず、その着信に対してどのような処理を行うかの複数の選択肢のうちのユーザ所望の選択肢の選択をユーザから受け付ける。【選択図】図５
2007174172.tif 000002
【特許請求の範囲】
【請求項１】
映像、音声、及び文字のうちの少なくとも一つである出力対象を表す情報を含んだ放送信号を受信する放送受信手段と、
前記放送受信手段が受信した放送信号に含まれている情報が表す前記出力対象を出力する出力手段と、
前記放送信号とは別の信号を無線で送受信する無線通信手段と、
前記出力手段が前記出力対象を出力している場合に、前記無線通信手段に前記別の信号の着信があったとき、その着信に対してどのような処理を行うかの複数の選択肢のうちのユーザ所望の選択肢の選択をユーザから受け付ける受け付け手段と、
前記ユーザから選択された選択肢に対応した処理を実行する処理手段と
を備える、通信端末。
【請求項２】
前記受信した放送信号に含まれている前記情報を記憶する記憶手段を備え、
前記無線通信手段は、呼を受けたり、オフフックにより接続された回線を介して通話のための音声信号を送受信したりするための手段であり、
前記受け付け手段は、前記出力手段が前記出力対象を出力している場合に、前記無線通信手段に呼の到着である音声着信があったとき、前記複数の選択肢のうちのユーザ所望の選択肢の選択を前記ユーザから受け付け、
前記複数の選択肢は、
音声通話を開始し、少なくとも該音声通話が終了するまで、前記放送信号に含まれている前記情報を前記記憶手段に記憶し続ける処理である第一の選択肢と、
音声通話を開始し、少なくとも該音声通話が終了するまで、前記放送信号に含まれている前記情報を前記記憶手段に記憶せずに、前記出力対象の出力を継続する処理である第二の選択肢と、
前記出力対象の出力を停止して、音声通話を開始する処理である第三の選択肢と、
音声通話を開始せず、前記出力対象の出力を継続する処理である第四の選択肢と、
のうちの少なくとも二つである、
請求項１に記載の通信端末。
【請求項３】
前記処理手段は、第一の選択肢に対応した処理を行っている場合、音声通話が終了したならば、前記受信している放送信号に含まれている前記情報を前記記憶手段に記憶しながら、前記記憶手段に記憶されている情報が表す第一の出力対象を早送り再生し、その出力が、現在受信中の放送信号に含まれている情報が表す第二の出力対象の出力に追いついた場合、出力を、第一の出力対象から第二の出力対象に切り替える、
請求項２に記載の通信端末。
【請求項４】
前記処理手段は、第一の出力対象を前記早送り再生する都度に、その早送り再生された第一の出力対象を表す情報を前記記憶手段から消去する、
請求項３に記載の通信端末。
【請求項５】
前記受け付け手段は、前記ユーザに選択された選択肢に対応する処理を実行している場合であっても、他の選択肢の選択を受け付けており、
前記処理手段は、或る選択肢に対応する第一の処理を実行している場合に他の選択肢が選択されたならば、第一の処理を中止し、後に選択された他の選択肢に対応する第二の処理を行う、
請求項２に記載の通信端末。
【請求項６】
前記受け付け手段は、前記記憶手段に前記情報を記憶できる記憶容量が所定値以下の場合には、前記記憶手段に前記情報を記憶する処理に対応した選択肢を選択不可能にする、
請求項２に記載の通信端末。
【請求項７】
第一と第二のスピーカを備えた外部音声出力装置の接続部と、
前記接続部に対する前記外部音声出力装置の接続状態を検出する検出部を備え、
前記処理手段は、前記第二の選択肢が選択され、且つ、前記外部音声出力装置が前記接続部に接続されていると検出された場合、前記出力対象のうちの音声を前記第一のスピーカから出力し、音声通話による音声を前記第二のスピーカから出力する、
請求項２記載の通信端末。
【請求項８】
前記受け付け手段は、前記時にに信があった場合していないと判断検出部により前記外部音声出力装置が接続されていないと検出された場合には、前記第二の選択肢を選択されないようにする、
請求項７に記載の通信端末。
【請求項９】
前記受信した放送信号に含まれている前記情報を記憶する記憶手段を備え、
前記無線通信手段は、電子メールを送受信するための手段であり、
前記受け付け手段は、前記出力手段が前記出力対象を出力している場合に、前記無線通信手段に電子メールの着信があったとき、前記複数の選択肢のうちのユーザ所望の選択肢の選択を前記ユーザから受け付け、
前記複数の選択肢は、
電子メールソフトを起動し、少なくとも該電子メールソフトが終了するまで、前記放送信号に含まれている前記情報を、前記記憶手段に記憶し続ける処理である第一の選択肢と、
電子メールソフトを起動し、少なくとも該電子メールソフトが終了するまで、前記放送信号に含まれている前記情報を記憶せずに、前記出力対象の出力を継続する処理である第二の選択肢と、
前記出力対象の出力を停止して、電子メールソフトを起動する処理である第三の選択肢と、
電子メールソフトを起動せず、前記出力対象の出力を継続する処理である第四の選択肢と、
の少なくとも二つである、
請求項１に記載の通信端末。
【請求項１０】
前記処理手段は、第一の選択肢に対応した処理を行っている場合、前記電子メールソフトが終了したならば、前記受信している放送信号に含まれている前記情報を前記記憶手段に記憶しながら、前記記憶手段に記憶されている情報が表す第一の出力対象を早送り再生し、その出力が、現在受信中の放送信号に含まれている情報が表す第二の出力対象の出力に追いついた場合、出力を、第一の出力対象から第二の出力対象に切り替える、
請求項９に記載の通信端末。
【請求項１１】
前記通信端末が充電器に接続されているか否かに応じて、受け付ける複数の選択肢の種類、或いは、選択された選択肢に対応した処理を違える、
請求項１記載の通信端末。
【発明の詳細な説明】
【技術分野】
【０００１】
本発明は、通信端末に関する。
【背景技術】
【０００２】
従来より、例えば、映像情報や音声情報等を含むテレビジョン放送信号（以下、「テレビ放送」という）を受信する機能を有する通信端末（例えば、「携帯電話機」）が知られている。そのような通信端末として、例えば、受信したテレビ放送のユーザによって選局されたテレビ番組を表示中に音声着信があった場合、音声通話の開始と同時に、表示中のテレビ番組の録画を開始し、音声通話が終了した時には、タイムシフト再生を行うものがある（例えば、特許文献１）。また、例えば、着信中であることを報知するための条件を予め設定でき、テレビ番組の表示中に着信があった場合、あらかじめ設定された条件に基づいて、着信中であることを報知するか否かを制御できるものがある（例えば、特許文献２）。
【０００３】
【特許文献１】特開２００５−１１７１４９号公報
【特許文献２】特開２００５−１４２９７８号公報
【発明の開示】
【発明が解決しようとする課題】
【０００４】
しかし、特許文献１に開示された従来技術では、音声着信があった場合の携帯電話機の処理動作にユーザの選択の余地はなく、例えば、音声通話の開始と同時に、録画するまでもないテレビ番組までも録画されてしまい、使い勝手が悪いという問題点がある。
【０００５】
また、特許文献２に開示された従来技術では、上述のような制御を行うためには、事前に条件を設定しておかなければならず、例え、条件を設定したとしても、設定した時から着信時までの間には、ユーザの状況が変化している場合もあり、音声着信があった時点で、それがユーザにとって的確な制御であるとは限らないという問題点がある。
【０００６】
したがって、本発明の目的は、放送信号に含まれている情報が表す映像、音声、及び文字のうちの少なくとも一つを通信端末を用いて視聴しているユーザの利便性を向上することにある。
【課題を解決するための手段】
【０００７】
本発明に従う通信端末は、映像、音声、及び文字のうちの少なくとも一つである出力対象を表す情報を含んだ放送信号を受信する放送受信手段と、前記放送受信手段が受信した放送信号に含まれている情報が表す出力対象を出力する出力手段と、前記放送信号とは別の信号を無線で送受信する無線通信手段と、前記出力手段が出力対象を出力している場合に、前記無線通信手段に前記別の信号の着信があったとき、必ず、その着信に対してどのような処理を行うかの複数の選択肢のうちのユーザ所望の選択肢の選択をユーザから受け付ける受け付け手段と、前記ユーザから選択された選択肢に対応する処理を実行する処理手段とを備えた。
【発明の効果】
【０００８】
本発明によれば、放送信号に含まれている情報が表す映像、音声、及び文字のうちの少なくとも一つを通信端末を用いて視聴しているユーザの利便性を向上することができる。
【発明を実施するための最良の形態】
【０００９】
以下、本発明の一実施形態に係る通信端末が適用された放送受信機能付き携帯端末（以下、「携帯端末」という）について図面を用いて説明する。なお、本実施形態では、その携帯端末が受信する放送信号はテレビジョン放送信号であり、その信号は、デジタル放送信号とするが、放送信号はそれに限らず、例えば、アナログ放送信号であってもよいし、ラジオ放送信号などの別種の放送信号であってもよい。
【００１０】
図１は、本発明の一実施形態に係る携帯端末の構成を示す図である。
【００１１】
携帯端末１００は、制御部１０１と、放送受信用アンテナ１０２と、選局部１０３と、無線通信部１０４と、通信用アンテナ１０５と、映像復号部１０６と、表示部１０７と、音声復号部１０８と、音声出力部１０９と、音声入力部１１０と、音声符号部１１１と、イヤホンマイク検出部１１３と、記憶部１１４と、操作部１１５、及びクロック信号発生部１１６とを備えている。
【００１２】
制御部１０１は、ＣＰＵ（Central Processing Unit）等により構成され、携帯端末１００の各構成要素の動作を制御する。
【００１３】
携帯端末１００は、放送受信用アンテナ１０２を介して放送信号を受信して、受信した放送信号を選局部１０３において選局・復調し、デジタルデータとして制御部１０１に入力する。
【００１４】
無線通信部１０４は、通信用アンテナ１０５を介して無線通信を行うモデムであり、例えば、ＣＤＭＡ（Code Division Multiple Access）モデムである。無線通信部１０４は、呼を発したり受けたり（つまり音声発信をしたり音声着信を受けたり）、電子メールを送受信したりすることができる。
【００１５】
映像復号部１０６は、ユーザよって選局されたテレビ番組に含まれている映像圧縮データを、制御部１０１の制御により復号するビデオデコーダである。ここで復号された映像データは、制御部１０１の制御によって、表示部１０７に出力される。また、テレビ番組の字幕情報や、ユーザが携帯端末１００を操作する際に必要な文字情報は、制御部１０１にて文字フォント（ビットマップ）に展開され、表示部１０７にて表示出力される。
【００１６】
音声復号部１０８は、ユーザよって選局されたテレビ番組に含まれている音声圧縮データを、制御部１０１の制御により復号するオーディオデコーダである。ここで復号された音声データは、制御部１０１の制御によって、音声出力部１０９にて音声出力される。
【００１７】
なお、ユーザが携帯端末１００を用いて音声通話を行う場合（つまり、携帯電話機能を利用する場合）は、無線通信部１０４を介して音声信号の送受信が行われる。
【００１８】
音声信号の送信が行われる場合は、マイクである音声入力部１１０から音声が入力され、制御部１０１の制御により、入力された音声を表す音声信号が音声符号部１１１にて音声圧縮データに変換される。変換された音声圧縮データは、制御部１０１の制御により、無線通信部１０４及び通信用アンテナ１０５を介して、送信される。
【００１９】
また、音声信号の受信が行われる場合は、制御部１０１の制御により、通信用アンテナ１０５及び無線通信部１０４を介して、制御部１０１に入力された音声圧縮データが、音声復号部１０８にて復号され、音声出力部１０９にて音声出力される。
【００２０】
なお、本実施形態では、音声入力部１１０と音声出力部１０９が一体となっているイヤホンマイク１１２を使用することができる。音声出力部１０９は、少なくとも一つのスピーカを備えることができるが、本実施形態では２つのスピーカを備える。さらに、本実施形態では、イヤホンマイク検出部１１３を設けて、イヤホンマイク１１２の接続状態（例えば、イヤホンマイク１１２が接続されているか否か）も検出している。
【００２１】
記憶部１１４は、制御部１０１によって実行されるコンピュータプログラムや、テレビ番組、テレビ番組を予約録画等する際に必要なＥＰＧ（例えば、電子番組ガイド）情報、あるいはアドレス帳などを記憶する。記憶部１１４は、例えば、不揮発性メモリ（例えば、SDカード等）であってもよいし、小型のハードディスクなどのディスク型記録媒体であっても良い。また、記憶装置を接続する（例えば、メモリスロットにメモリを差し込む）ことで、記憶容量を増加することができるようにしてもよい。
【００２２】
携帯端末１００の操作部１１５は、ユーザから種々の操作を受け付け、受け付けた操作を制御部１０１に伝達することができる。操作部１１５は、例えば、数字キー、カーソルキー、決定キーなどの複数のキーから構成することができる。また、ユーザはこの操作部１１５を操作して通話することができる。
【００２３】
クロック信号発生部１１６は、制御部１０１へのクロック供給や、制御部１０１の制御により映像復号部１０６、及び音声復号部１０８へのクロック供給も行うことができる。
【００２４】
図２は、テレビ番組の視聴中に音声着信（無線通信部１０４に呼びの到着）があった場合に、ユーザが選択できる選択肢の種類と、各種選択肢が選択された場合に携帯端末が行う処理との関係を示す図である。
【００２５】
本実施形態において、選択肢は、例えば、選択番号と、その選択番号に対応付けられた処理とで構成される。ユーザが選択できる、携帯端末１００に行わせる処理として、選択番号１〜４にそれぞれ対応した４つの処理がある。制御部１０１は、複数の選択肢を表示した場合、何らかの選択肢が選択されることなくオフフックのための操作が行われても、オフフックしないようにすることができる。
【００２６】
ユーザによって選択番号１が選択された場合、携帯端末１００は、それまで視聴されていたテレビ番組の表示及び音声の出力を停止し（例えば放送信号の受信を停止し）、その代わりにそのテレビ番組を録画し、オフフックして（例えば自動でオフフックして）通話のための回線を接続し、その回線が接続されている間（例えば、ユーザによりオンフックされるまでの間）、そのテレビ番組を録画し続ける処理を行う。以下、オフフックにより通話のための回線を接続することを「通話を開始する」と言い、オンフックにより通話のための回線を切断する（或いは、電波障害などによりオンフックとは別の原因によって回線が切断される）ことを、「通話を終了する」と言う。
【００２７】
ユーザによって選択番号２が選択された場合、携帯端末１００は、音声通話を開始し、テレビ番組の映像及び音声のうち少なくとも映像の出力を継続する処理を行う。なお、この場合は、携帯端末１００は、テレビ番組の録画は行わない。また、携帯端末１００は、イヤホンマイクが接続されていることをイヤホンマイク検出部１１３により検出された場合には、視聴中のテレビ番組の音声出力も継続することができる。
【００２８】
ユーザによって選択番号３が選択された場合、携帯端末１００は、テレビ番組の映像や音声の出力を停止し（例えば放送信号の受信を停止し）、音声通話を開始する処理を行う。なお、この場合は、携帯端末１００は、テレビ番組の録画を行わない。
【００２９】
ユーザによって選択番号４が選択された場合、携帯端末１００は、音声通話を開始せず、テレビ番組の映像や音声の出力を継続する処理を行う。なお、この場合は、携帯端末１００は、テレビ番組の録画は行わない。
【００３０】
各選択番号が選択された際の詳細な説明は後述する。
【００３１】
図３は、携帯端末１００の表示部１０７に表示される画面の構成例を示す図である。
【００３２】
表示部１０７に表示される画面には、例えば、互いに重ならない複数の表示領域がある。本実施形態では、２つの表示領域があるものとし、それらは、映像表示領域Ａおよび文字情報表示領域Ｂとする。例えば、制御部１０１は、受信したテレビ番組の映像を映像表示領域Ａに表示し、そのテレビ番組と共に文字情報も受信していれば、その文字情報を文字情報表示領域Ｂに表示することができる。映像表示領域Ａに表示される映像は、例えば、ユーザによって選局されたテレビ番組に含まれている映像や、記憶部１１４から読み出されて再生された映像である。また、文字情報表示領域Ｂに表示される文字情報は、例えば、ユーザによって選局されたテレビ番組を有する放送信号に包含されているデータ放送内の文字情報や、制御部１０１によって表示される各選択肢がある。
【００３３】
図４は、テレビ番組を視聴している最中に音声着信があった場合に、携帯端末１００の表示部１０７に表示される画面の構成例を示す図である。図５は、テレビ番組を視聴している最中に音声着信があった場合に行われる処理の流れの一例を示す図である。
【００３４】
テレビ番組の映像や音声の出力中に音声着信があると（ＳＴ５０１）、無線通信部１０４が音声着信を検知して制御部１０１に知らせ（ＳＴ５０２）、制御部１０１が、例えば図４の画面４０１に示すように、文字情報表示領域Ｂに、発信者の名前と、ユーザが選択可能な複数の選択肢とを表示し（ＳＴ５０３）、ユーザの判断を待つ。この間、制御部１０１は、映像表示領域Ａには、テレビ番組の映像を継続して表示する。なお、ＳＴ５０３では、制御部１０１は、発信者の名前に代えて又は加えて、発信者に関する他の情報（例えばアドレス帳データから取得できる情報）を、どの選択肢を選択するかの判断材料とするために表示してもよい。
【００３５】
ユーザは、表示された複数の選択肢のうち、操作部１１５を操作して、何れか希望の選択番号を選択する。何れかの選択肢が選択された場合（ＳＴ５０４：Ｙｅｓ）、選択された選択肢による選択番号に従って（ＳＴ５０５）、選択された番号に対応した処理が行われる（ＳＴ５０６〜ＳＴ５０９）。
【００３６】
選択肢を選択する方法は、ユーザが操作部１１５の数字キーを操作し、図４の文字情報表示領域Ｂに表示されている番号１から４を入力する（つまり、直接指定する）ようにしてもよいし、操作部１１５のカーソルキーを用いて、カーソルを該当選択番号に移動させ、操作部１１５の決定キーによりに決定するようにしてもよい。
【００３７】
図６は、ユーザによって選択番号１が選択された場合に携帯端末１００で行われる処理の流れの一例を示す図である。
【００３８】
制御部１０１は、選択番号１が選択されると（ＳＴ６００は、図５のＳＴ５０６の結合子である）、それまで視聴されていたテレビ番組の映像データや音声データを、映像復号部１０６や音声復号部１０８に送ることを停止し、これらのデータを記憶部１１４に送ることで、テレビ番組の録画を行う（ＳＴ６０１）。なお、テレビ番組の出力の停止は、例えば、放送信号の受信を停止する、具体的には、例えば、放送信号を受信するための回路（例えば選局部１０３）の電源をターンオフすることで、実現することができる。
【００３９】
そして、制御部１０１は、音声通話を開始する（例えば、自動的にオフフックする）。これによって、ユーザは、音声通話を開始することができる（ＳＴ６０２）。ここで、制御部１０１により表示部１０７に表示される映像は何でも良く、例えば、選択番号１の選択時に停止した映像でもよいし、通話モード時の映像でもよいし、或いは格別映像が表示されなくても良い。制御部１０１は、音声通話の間（換言すれば、回線が接続されている間）、テレビ番組を録画し続ける。
【００４０】
制御部１０１は、ユーザによる音声通話が終了し、操作部１１５で通話終了キーが押された場合（つまり、オンフックにより回線が切断された場合）（ＳＴ６０３：Ｙｅｓ）、記憶部１１４に録画したテレビ番組の映像データや音声データを、映像復号部１０６や音声復号部１０８にそれぞれ送り、表示出力及び音声出力を開始する（ＳＴ６０４）。即ち、選択番号１が選択されて録画が開始されてからのテレビ番組の映像と音声が再生される。再生速度は、現時点での、放送中のテレビ番組と同じ再生速度（つまり１倍速）でもよいが、本実施形態では、それよりも早い速度で再生する早送り再生を行っている。なお。制御部１０１は、早送り再生を行っている場合でも、録画をし続ける。
【００４１】
制御部１０１は、記憶部１１４に録画されているテレビ番組の出力が、早送り再生によって、現在放送中のテレビ番組の出力に追いついた（例えば重なった）ことを検知したならば（ＳＴ６０５：Ｙｅｓ）、テレビ番組を記憶部１１４に録画することを終了し（ＳＴ６０６）、現在放送中のテレビ番組を出力する（ＳＴ６０７）。
【００４２】
なお、ＳＴ６０４で１倍速再生（タイムシフト再生）が行われる場合は、テレビ番組終了時まで録画を継続する必要があるが、早送り再生ではその必要はない。このため、録画時間が短くて済むので、記憶容量の少ない携帯端末には有用であり、さらに、録画に要する電力も削減することができる。
【００４３】
本実施形態では、制御部１０１は、記憶部１１４に録画されているテレビ番組の出力が、早送り再生によって、現在放送中のテレビ番組の出力に追いついたことを検知したならば、録画されているテレビ番組は消去しているが、録画を継続し、録画ファイルとして保存することもできる。また、制御部１０１は、早送り再生のためにデータを読み出す都度にそのデータを記憶部１１４から消去してもよい。これにより、記憶部１１４の空き容量を増やしていくことができる。
【００４４】
制御部１０１が行う早送り再生には、一般的には、音声出力無しで、映像フレームを間引くもしくはシークして表示する方法が用いられるが、本実施形態では、クロック信号発生部１１６から映像復号部１０６及び音声復号部１０８に供給するクロック信号の周波数を増加させ（処理能力を向上させ）音声出力有りで、かつ、全ての映像フレームを復号する時短再生を用いている。なお、このような時短再生の方法は、本実施形態に限定されるものではない。例えば、クロック信号を増加しないで実現する方法も存在する（例えば、音声フレームを間引いたり、映像フレーム間隔を短縮することにより実現する）。
【００４５】
さらに、制御部１０１は、例えば、選択番号１に対応した処理を行っている場合でも、他の選択番号の選択を受け付け、ユーザによって別の選択番号が選択されたら、選択番号１に対応した処理を止めて、その別の選択番号に対応した処理に切り替えることができる。例えば、制御部１０１は、記憶部１１４の保存可能残り時間を表示するようにした場合、ユーザが、保存可能残り時間が短すぎると判断した場合は、その他の選択肢を選択することが可能となり、ユーザは、より要望に即した決断をすることが可能となる。
【００４６】
また、ユーザによって選局されたテレビ番組の録画中に、記憶部１１４の容量がなくなり、録画不可能になる場合も考えられるが、制御部１０１は、録画不可能になる前に、予め、ユーザに何らかの手段で報知する。報知するタイミングや報知方法は、ユーザが任意に設定できる。
【００４７】
また、制御部１０１は、保存可能残り時間がない、もしくは、任意に設定した時間以下（換言すれば、録画可能な記憶容量が所定量以下）であることが録画の開始前に予めわかっている場合には、選択肢を表示（図５のＳＴ５０３）するときに、予め、図４の画面４０１に示した選択番号１「保存して通話」の選択項目を削除した画面を表示してもよい（或いは表示しても選択を受け付けないようにしても良い）。
【００４８】
以上のように、選択番号１が選択されると、制御部１０１は、通話のための回線が接続されている間テレビ番組を録画し続け、その回線が切断されると現在放送中のテレビ番組の出力に追いつくまで、録画したテレビ番組の早送り再生を続ける。このことによって、ユーザは、通話のためにテレビ番組の視聴を中断しても、そのテレビ番組を見逃すということはなくなる。
【００４９】
図７は、ユーザによって選択番号２が選択された場合に携帯端末１００で行われる処理の流れの一例を示す図である。
【００５０】
制御部１０１は、選択番号２が選択されると（ＳＴ７００は、図５のＳＴ５０７の結合子である）、イヤホンマイク検出部１１３を介してイヤホンマイク１１２が接続されていることを検出できたならば、音声出力部１０９のＬｃｈとＲｃｈのどちらか一方に（換言すれば、右左のスピーカのうちのいずれか一方に）、継続してテレビ番組の音声を出力し、もう一方に通話音声を出力するように、切り替え制御を行う（ＳＴ７０１）。この場合、表示部１０７には、継続してテレビ番組を表示する。なお、イヤホンマイク１１２が接続されていないと検出された場合には、制御部１０７は、例えば、エラーメッセージを表示することができる。
【００５１】
次に、制御部１０１は、音声通話を開始する（ＳＴ７０２）。
【００５２】
制御部１０１は、操作部１１５で通話終了キーが押されると（つまり音声通話を終了すると）（ＳＴ７０３：Ｙｅｓ）、再び音声出力の切り替えを行い（ＳＴ７０４）、両チャンネル（ＬｃｈとＲｃｈ）からテレビ番組の音声を出力し、且つ、テレビ番組の映像を表示する（ＳＴ７０５）。
【００５３】
以上のように、選択番号２が選択されると、制御部１０１が、上述したような処理を行うので、テレビ番組を視聴中に音声着信があっても、ユーザは視聴を継続しながら通話を行うことが可能となる。この処理は、例えば、録画するまでもないが、何となく視聴していたいテレビ番組の視聴を継続する場合などに便利である。また、これにより通話相手と同じ番組を共有しながら、音声通話を行うという楽しみ方も可能となる。
【００５４】
なお、この例では、選択番号２が選択された後に、イヤホンマイク１１２の接続の有無が検出されるが、それに代えて、制御部１０１は、放送中のテレビ番組の出力中に音声着信があった時に、その検出を行っても良い。この場合、制御部１０１は、イヤホンマイク１１２の接続が検出されなかった場合は、図４の画面４０３に示すように、「見ながら通話」の選択肢を予め排除した表示を行ってもよい（また、表示しても選択を受付けないようにしても良い）。
【００５５】
図８は、ユーザによって選択番号３が選択された場合に携帯端末１００で行われる処理の流れの一例を示す図である。
【００５６】
制御部１０１は、選択番号３が選択されると（ＳＴ８００は、図５のＳＴ５０８の結合子である）、放送受信用アンテナ１０２で受信される放送信号の受信を停止するように制御を行う（ＳＴ８０１）。
【００５７】
次に、制御部１０１は、音声通話を開始する（例えば、自動的にオフフックする）（ＳＴ８０２）。ここで、制御部１０１により携帯端末１００の表示部１０７に表示される映像は、例えば、停止した映像でもよいし、通話モード時の映像でもよい。
【００５８】
制御部１０１は、操作部１１５で通話終了キーが押されると（音声通話を終了すると）（ＳＴ８０３：Ｙｅｓ）、再び、放送受信用アンテナ１０２を介して放送信号を受信して、選局部１０３において、音声通話前のチャンネルのテレビ番組を選局・復調し（ＳＴ８０４）、そのテレビ番組の出力を行う（ＳＴ８０５）。
【００５９】
図９は、ユーザによって選択番号４が選択された場合に携帯端末１００で行われる処理の流れの一例を示す図である。
【００６０】
制御部１０１は、選択番号４が選択されると（ＳＴ９００は、図５のＳＴ５０９の結合子である）、テレビ番組の出力を継続しながら、発信側の携帯端末に、記憶部１１４に予め保存されている応答メッセージ（例えば「現在通話できません」というメッセージ）を流す（ＳＴ９０１）。この応答メッセージは、予め記憶部１１４に保存されたアドレス帳のグループ別に設定を行い、アドレス帳のグループ別に応答内容を変えるという使い方をしてもよい。
【００６１】
制御部１０１は、その後も、継続してテレビ番組を出力する（ＳＴ９０２）。
【００６２】
以上のように、選択番号４が選択されると、制御部１０１は、上述したような処理を行うので、テレビ番組を視聴中に音声着信があっても、ユーザは阻害されることなく継続してテレビ番組を視聴することが可能となる。
【００６３】
以上、テレビ番組の視聴中に音声着信があった場合の説明をしたが、テレビ番組の視聴中に他種の信号の着信、例えばメール着信（例えば、電子メールそれ自体の受信、或いは自分宛の電子メールが所定のセンタに存在する旨の通知）があった場合にも、同様の処理を行うことができる。以下、その場合についての説明を行う。
【００６４】
図１０は、テレビ番組の視聴中に無線通信部１０４にメール着信があった場合に、ユーザが選択できる選択肢の種類と、各種選択肢が選択された場合に携帯端末が行う処理との関係を示す図である。
【００６５】
ユーザが選択できる携帯端末１００に行わせる処理として、例えば、選択番号１〜４にそれぞれ対応した４つの処理がある。制御部１０１は、複数の選択肢を表示した場合、何らかの選択肢が選択されることなく電子メールソフトの起動のための操作が行われても、電子メールソフトを起動しないようにすることができる。
【００６６】
ユーザによって選択番号１が選択された場合、携帯端末１００は、テレビ番組の表示及び音声の出力を停止し、テレビ番組を録画し、電子メールソフトウェア（以下、電子メールソフト）の起動し、その電子メールソフトが終了するまで、テレビ番組を録画し続ける処理を行う。ここで、「電子メールソフト」とは、制御部１０１に読み込まれて実行される、電子メールの編集や送信などを行うためのコンピュータプログラムである。
【００６７】
ユーザによって選択番号２が選択された場合、携帯端末１００は、電子メールソフトを起動し、テレビ番組の映像及び音声のうち少なくとも映像の出力を継続する処理を行う。なお、この場合は、携帯端末１００は、テレビ番組の録画は行わない。
【００６８】
ユーザによって選択番号３が選択された場合、携帯端末１００は、テレビ番組の映像や音声の出力を停止し、電子メールソフトを起動する処理を行う。なお、この場合は、携帯端末１００は、テレビ番組の録画を行わない。
【００６９】
ユーザによって選択番号４が選択された場合、携帯端末１００は、電子メールソフトを起動せず、テレビ番組の映像や音声の出力を継続する処理を行う。なお、この場合は、携帯端末１００は、テレビ番組の録画は行わない。各選択番号が選択された際の詳細な説明は後述する。
【００７０】
図１１は、テレビ番組を視聴している場合にメール着信があったときに、携帯端末１００の表示部１０７に表示される画面の構成例を示す図である。図１２は、テレビ番組を視聴している場合にメール着信があったときに行われる処理の流れの一例を示す図である。
【００７１】
テレビ番組の映像や音声の出力中にメール着信があると（ＳＴ１２０１）、無線通信部１０４がメール着信を検知して制御部１０１に知らせ（ＳＴ１２０２）、制御部１０１は、例えば図１１に示すように、文字情報表示領域Ｂに、送信者名及び件名と、ユーザが選択可能な複数の選択肢とを表示し（ＳＴ１２０３）、ユーザの判断を待つ。この間、制御部１０１は、映像表示領域Ａには、テレビ番組の映像を継続して表示する。なお、ＳＴ１２０３では、制御部１０１は、送信者名及び件名に代えて、送信者に関する他の情報を、どの選択肢を選択するかの判断材料とするために表示してもよい。
【００７２】
ユーザは、操作部１１５を操作して、表示された複数の選択肢のうち、何れか希望の選択番号を選択する。何れかの選択肢が選択された場合（ＳＴ１２０４：Ｙｅｓ）、選択された選択肢による選択番号に従って（ＳＴ１２０５）、選択された番号に対応した処理が行われる（ＳＴ１２０６〜ＳＴ１２０９）。
【００７３】
図１３は、ユーザによって選択番号１が選択された場合に携帯端末１００で行われる処理の流れの一例を示す図である。
【００７４】
制御部１０１は、選択番号１が選択されると（ＳＴ１３００は、図１２のＳＴ１２０６の結合子である）、それまで視聴されていたテレビ番組の映像データや音声データを、映像復号部１０６や音声復号部１０８に送ることを停止し、これらのデータを記憶部１１４に送ることで、テレビ番組の録画を行う（ＳＴ１３０１）。
【００７５】
そして、制御部１０１は、電子メールソフトを起動する（ＳＴ１３０２）。制御部１０１は、電子メールソフトの実行中は、テレビ番組を録画し続ける。
【００７６】
制御部１０１は、操作部１１５で電子メールソフトの終了キーが押された場合（ＳＴ１３０３：Ｙｅｓ）、電子メールソフトを終了し、それ以降、図６で音声通話が終了した場合に行われる処理（ＳＴ６０４〜ＳＴ６０７）と同様の処理を行うことができる（ＳＴ１３０４〜ＳＴ１３０７）。
【００７７】
以上のように、選択番号１が選択されると、制御部１０１は、電子メールソフトを起動して終了されるまでの間、テレビ番組を録画し続け、その回線が切断されると、現在放送中のテレビ番組と重なるまで録画したテレビ番組の早送り再生を続ける。このことによって、ユーザは、見たい番組を見逃すということはなくなる。
【００７８】
図１４は、ユーザによって選択番号２が選択された場合に、携帯端末１００が行う処理の流れの一例を示す図である。
【００７９】
制御部１０１は、選択番号２が選択されると（ＳＴ１４００は、図１２のＳＴ１２０７の結合子である）、電子メールソフトを起動し（ＳＴ１４０１）、例えば、図１１の文字情報表示領域Ｂに、受信した電子メールの本文などを表示し、映像表示領域Ａに、継続してテレビ番組を表示する。制御部１０１は、電子メールソフトを終了すると（ＳＴ１４０２：Ｙｅｓの場合）、例えば、文字表示領域Ｂを無くし、表示部１０７のディスプレイ画面一杯にテレビ番組の映像を表示する（ＳＴ１４０３）。この図１４に示す処理流れでは、制御部１０１は、テレビ番組の音声を、継続して出力することもできるし、電子メールソフトを起動したときにその出力を停止しても良い。
【００８０】
図１５は、ユーザによって選択番号３が選択された場合に、携帯端末１００が行う処理の流れの一例を示す図である。
【００８１】
制御部１０１は、選択番号３が選択されると（ＳＴ１５００は、図１２のＳＴ１２０８の結合子である）、放送受信用アンテナ１０２で受信される放送信号の受信を停止するように制御を行う（ＳＴ１５０１）。
【００８２】
次に、制御部１０１は、電子メールソフトを起動する（ＳＴ１５０２）。
【００８３】
制御部１０１は、操作部１１５で電子メールソフトの起動終了キーが押された場合（ＳＴ１５０３：Ｙｅｓ）、電子メールソフトを終了し、それ以降、図８で音声通話が終了した場合に行われる処理（ＳＴ８０４〜ＳＴ８０５）と同様の処理を行うことができる（ＳＴ１５０４〜ＳＴ１５０５）。
【００８４】
次に、図は省略するが、制御部１０１は、選択番号４が選択されると、電子メールソフトを起動せず、視聴中のテレビ番組を継続表示するように制御する（ＳＴ１２１０）。
【００８５】
以上、上述した実施形態によれば、携帯端末１００で放送中のテレビ番組を視聴している場合に音声着信或いはメール着信などの別種の信号受信があったならば、必ず、どのような処理を行うべきかの複数の選択肢を提示し、ユーザから所望の選択肢を受け付ける。これにより、ユーザは、テレビ番組を視聴している場合に音声着信或いはメール着信などの別種の信号受信があったときには、その都度、その時の自分の状況に応じた処理を携帯端末１００に行わせることができる。
【００８６】
以上、本発明の実施形態を説明したが、この実施形態は、本発明のための例示にすぎず、本発明の範囲をこれらの実施形態にのみ限定する趣旨ではない。本発明は、その要旨を逸脱することなく、その他の様々な態様でも実施することができる。
【００８７】
例えば、本実施形態では、表示形態は図３に示すように表示部１０７を、テレビ放送映像を表示する映像表示領域Ａと、データ放送画面を表示する文字情報表示領域Ｂとに分割して表示する表示形態を例として説明してきたが、テレビ放送映像を表示部１０７の全画面に表示してもよい。その場合は、図４、図１１で示したような文字情報表示領域Ｂの表示は、テレビ放送映像に重畳する。また、図３、図１０に示したような制御内容と、図４、図１１に示した選択肢の表示内容は一例であり、ユーザが自由に設定できるようにしてもよいし、この限りではない。
【００８８】
また、例えば、図１のように構成された携帯端末１００に、テレビ番組の受信だけを行うモードを設ける。即ち、このモードに設定をすると、例えば、無線通信部１０４をオフにし、着信検知ができない状態にしたり、予め設定したスケジューラーが起動しないようにしたりすることで、ユーザは、携帯端末１００をテレビ番組受信専用端末としてだけ使用することを可能とし、テレビ番組に集中することが可能となる。なお、携帯端末１００は、テレビ番組視聴終了後は、自動的に通常の待ち受けモードに移行できる。
【００８９】
また、上述した動作の流れは、携帯端末型に限らず、固定受信装置や車載用装置などに本発明を適用してもよい。
【００９０】
また、例えば、上述した実施形態は、テレビ番組の視聴に限らず、例えば、ラジオ番組の視聴にも適用することができる。
【００９１】
また、例えば、携帯端末１００は、例えば、商用電源に接続された充電器（バッテリに接続された充電器でも良い）に接続することで、充電することができる。制御部１０１は、携帯端末１００が充電器に接続されているか否かに応じて、選択肢に対応した処理、或いは選択肢の提示を違えることができる。例えば、制御部１０１は、充電器に接続されている間に複数の選択肢を表示する際、充電器に接続されていれば電力の消費はあまり問題にならないので、どの選択肢が選択されても録画を実行しても良いし、或いは、録画しない旨の選択肢を提示しないようにすることができる。
【００９２】
また、例えば、イヤホンマイクに代えて、他種の外部音声出力装置（例えば複数のスピーカを備えた装置）を採用することができる。すなわち、イヤホンマイクに代えることができる装置として、少なくとも音声出力部が備えられた装置であれば良く、マイクなどの音声入力部が備えられていなくても良い。
【図面の簡単な説明】
【００９３】
【図１】本発明の一実施形態に係る携帯端末の構成例を示す図である。
【図２】テレビ番組の視聴中に音声着信があった場合に、ユーザが選択できる選択肢の種類と、各種選択肢が選択された場合に携帯端末が行う処理との関係を示す図である。
【図３】携帯端末が、テレビ放送を受信した際の画面構成を示す図である。
【図４】テレビ番組を視聴している場合に音声着信があったときに、携帯端末１００に表示される画面の構成例を示した図である。
【図５】テレビ番組を視聴している場合に音声着信があったときに行われる処理の流れの一例を示す図である。
【図６】図５において選択番号１が選択された場合に携帯端末が行う処理の流れの一例を示す。
【図７】図５において選択番号２が選択された場合に携帯端末が行う処理の流れの一例を示す。
【図８】図５において選択番号３が選択された場合に携帯端末が行う処理の流れの一例を示す。
【図９】図５において選択番号４が選択された場合に携帯端末が行う処理の流れの一例を示す。
【図１０】テレビ番組の視聴中にメール着信があった場合に、ユーザが選択できる選択肢の種類と、各種選択肢が選択された場合に携帯端末が行う処理との関係を示す図である。
【図１１】テレビ番組を視聴している場合にメール着信があったときに携帯端末１００に表示される画面の一例を示した図である。
【図１２】テレビ番組を視聴している場合にメール着信があった場合に携帯端末１００が行う処理の流れの一例をフローチャートである。
【図１３】図１２において選択番号１が選択された場合に携帯端末が行う処理の流れの一例を示す。
【図１４】図１２において選択番号２が選択された場合に携帯端末が行う処理の流れの一例を示す。
【図１５】図１２において選択番号３が選択された場合に携帯端末が行う処理の流れの一例を示す。
【符号の説明】
【００９４】
１００…放送受信機能付き携帯端末、１０１…制御部、１０２…選局部、１０３…放送受信用アンテナ、１０４…無線通信部、１０５…通信用アンテナ、１０６…映像復号部、１０７…表示部、１０８…音声復号部、１０９…音声出力部、１１０…音声入力部、１１１…音声符号部、１１２…イヤホンマイク、１１３…イヤホンマイク検出部、１１４…記憶部、１１５…操作部、１１６…クロック信号発生部
【図１】
2007174172.tif 000003
【図２】
2007174172.tif 000004
【図３】
2007174172.tif 000005
【図４】
2007174172.tif 000006
【図５】
2007174172.tif 000007
【図６】
2007174172.tif 000008
【図７】
2007174172.tif 000009
【図８】
2007174172.tif 000010
【図９】
2007174172.tif 000011
【図１０】
2007174172.tif 000012
【図１１】
2007174172.tif 000013
【図１２】
2007174172.tif 000014
【図１３】
2007174172.tif 000015
【図１４】
2007174172.tif 000016
【図１５】
2007174172.tif 000017